(57)【要約】【課題】高強度の組立紐止め構造を提供する。【解決手段】高強度の組立紐止め構造は、通し紐及び係合ケース１を備える。通し紐の両端には、紐結び３３が形成される。係合ケース１の内部には、収納チャンバが形成される。収納チャンバの底部又は側部には、１つ又は２つの紐通し孔が形成される。紐通し孔は内外貫通される。係合ケース１の頂部には、収納口が形成される。収納口には、結び目位置拘束部が設けられる。紐結び３３は、収納チャンバ内に嵌入され、結び目位置拘束部の内側に位置拘束され、紐結び３３をストッパーとして用いる。通し紐の上部は、収納口に挿通されて係合ケース１の結び目位置拘束部の上方まで延び、上部ループ３１が形成される。通し紐の下部が紐通し孔に挿通されて係合ケース１の外部へ延び、下部ループ３２が形成される。【選択図】図１
0003226741.tif 000002
【実用新案登録請求の範囲】
【請求項１】
通し紐及び係合ケースを備えた組立紐止め構造であって、
前記通し紐の両端には、紐結びが形成され、
前記係合ケースの内部には、収納チャンバが形成され、
前記収納チャンバの底部又は側部には、１つ又は２つの紐通し孔が形成され、
前記紐通し孔は内外貫通され、
前記係合ケースの頂部には、収納口が形成され、
前記収納口には、結び目位置拘束部が設けられ、
前記紐結びは、前記収納チャンバ内に嵌入され、前記結び目位置拘束部の内側に位置拘束され、前記紐結びをストッパーとして用い、
前記通し紐の上部は、前記収納口に挿通されて前記係合ケースの前記結び目位置拘束部の上方まで延び、上部ループが形成され、
前記通し紐の下部が前記紐通し孔に挿通されて前記係合ケースの外部へ延び、下部ループが形成されることを特徴とする組立紐止め構造。
【請求項２】
前記結び目位置拘束部は、形状・サイズが前記収納口に対応したトップカバーを有し、
前記トップカバーは、前記収納口に嵌着され、
前記トップカバーと前記収納口とはバヨネット接続又はねじ接続され、
前記トップカバーの中央には、１つ又は２つの蓋孔が形成され、前記蓋孔は上下貫通され、前記通し紐の上部は前記蓋孔に挿通されるとともに、前記トップカバーの上方に至るまで延びることを特徴とする請求項１に記載の組立紐止め構造。
【請求項３】
前記収納口の内側壁には、位置規制凹溝が凹設され、
前記トップカバーの側壁には、位置規制凸肩が突設され、
前記トップカバーの側壁と前記収納口の内側壁とを組み合わせ、前記位置規制凸肩が前記位置規制凹溝に嵌入され、前記トップカバーの頂面と前記収納口の開口面とは同じ高さで揃うことを特徴とする請求項２に記載の組立紐止め構造。
【請求項４】
前記収納口は、正円を呈し、前記位置規制凸肩を円周方向に沿って閉止し、
前記トップカバーは円柱体に形成され、
前記トップカバーの直径は、前記収納口の直径より小さく、前記位置規制凹溝が円周方向に沿って閉止され、
前記位置規制凸肩と前記位置規制凹溝とが位置拘束されて組み合わされることを特徴とする請求項３に記載の組立紐止め構造。
【請求項５】
前記位置規制凸肩の横断面は半円形を呈し、
前記位置規制凹溝の横断面は半円形を呈し、
前記位置規制凸肩の凸肩高さは、前記位置規制凹溝の溝口深さより小さく、
前記位置規制凸肩の凸肩幅は、前記位置規制凹溝の溝口の幅より小さいことを特徴とする請求項４に記載の組立紐止め構造。
【請求項６】
前記トップカバーの横断面は円形、多角形、弓形又は多弧状を呈し、
前記収納口は、円形、多角形、弓形又は多弧状を呈し、
前記結び目位置拘束部は、一体成形集中構造、トップカバー構造又はドロップシール構造に形成されることを特徴とする請求項５に記載の組立紐止め構造。
【考案の詳細な説明】
【技術分野】
【０００１】
本考案は、紐止め技術に関するものであり、さらに詳しくは、高強度の組立紐止め構造に関するものである。
【背景技術】
【０００２】
従来、紐止めは、様々な日常服、カバン、通し紐などに広く応用されている。例えば、携帯電話の通し紐には紐止めが設けられるのが一般的である。通し紐の両端は、半結び、８の字結び、本結び、もやい結び、巻き結びなどで結ばれ、ループが形成されているが、このような紐止め構造は、結び目が露出されているので外観があまり良くないという難点があった。また、従来技術では通し紐の端部が係合ケース内に収納される紐止めがあったが、それは、係合ケースの上下両端に穿孔が形成され、通し紐の両端を縛って結び目を作ってから、その結び目は、係合ケース内に隠される構造であるが、結び目と係合ケースとの位置拘束により、通し紐を係合ケースの上下穿孔に挿通させ、上部ループ及び下部ループを有する紐止め構造が形成されていた。しかし、このような従来の紐止め構造は、型開きの難易度が高いものであり、製作コストが高く、生産効率が低く、組立が容易でないという問題があり、人的コストも高いという欠点があった。
【考案の概要】
【考案が解決しようとする課題】
【０００３】
従って、本考案の課題は、通し紐の引っ張り力を係合ケースが受けないように構成され、紐体が受ける引っ張り力が大きくても切れ難い上、外観も優れた、高強度の組立紐止め構造を提供することにある。
【課題を解決するための手段】
【０００４】
そこで、本考案者は、本考案の前記課題を解決するため、鋭意検討を重ねた結果、後述のように、少なくとも、通し紐の両端に紐結びが形成され、紐結びが係合ケースの内部に収納されるように構成することにより、前記課題を解決できる点に着目し、かかる知見に基いて、本考案に想到するに至った。
【０００５】
かくして、本考案の要旨は、次の（１）〜（６）に記載の通りのものである。
【０００６】
（１）通し紐及び係合ケースを備えた、高強度の組立紐止め構造であって、前記通し紐の両端には、紐結びが形成され、前記係合ケースの内部には、収納チャンバが形成され、前記収納チャンバの底部又は側部には、１つ又は２つの紐通し孔が形成され、前記紐通し孔は内外貫通され、前記係合ケースの頂部には、収納口が形成され、前記収納口には、結び目位置拘束部が設けられ、前記紐結びは、前記収納チャンバ内に嵌入され、前記結び目位置拘束部の内側に位置拘束され、前記紐結びをストッパーとして用い、前記通し紐の上部は、前記収納口に挿通されて前記係合ケースの前記結び目位置拘束部の上方まで延び、上部ループが形成され、前記通し紐の下部が前記紐通し孔に挿通されて前記係合ケースの外部へ延び、下部ループが形成されることを特徴とする組立紐止め構造。
【０００７】
（２）前記結び目位置拘束部は、形状・サイズが前記収納口に対応したトップカバーを有し、前記トップカバーは、前記収納口に嵌着され、前記トップカバーと前記収納口とはバヨネット接続又はねじ接続され、前記トップカバーの中央には、１つ又は２つの蓋孔が形成され、前記蓋孔は上下貫通され、前記通し紐の上部は前記蓋孔に挿通されるとともに、前記トップカバーの上方に至るまで延びることを特徴とする前記（１）に記載の組立紐止め構造。
【０００８】
（３）前記収納口の内側壁には、位置規制凹溝が凹設され、前記トップカバーの側壁には、位置規制凸肩が突設され、前記トップカバーの側壁と前記収納口の内側壁とを組み合わせ、前記位置規制凸肩が前記位置規制凹溝に嵌入され、前記トップカバーの頂面と前記収納口の開口面とは同じ高さで揃うことを特徴とする前記（２）に記載の組立紐止め構造。
【０００９】
（４）前記収納口は、正円を呈し、前記位置規制凸肩を円周方向に沿って閉止し、前記トップカバーは円柱体に形成され、前記トップカバーの直径は、前記収納口の直径より小さく、前記位置規制凹溝が円周方向に沿って閉止され、前記位置規制凸肩と前記位置規制凹溝とが位置拘束されて組み合わされることを特徴とする前記（３）に記載の組立紐止め構造。
【００１０】
（５）前記位置規制凸肩の横断面は半円形を呈し、前記位置規制凹溝の横断面は半円形を呈し、前記位置規制凸肩の凸肩高さは、前記位置規制凹溝の溝口深さより小さく、前記位置規制凸肩の凸肩幅は、前記位置規制凹溝の溝口の幅より小さいことを特徴とする前記（４）に記載の組立紐止め構造。
【００１１】
（６）前記トップカバーの横断面は円形、多角形、弓形又は多弧状を呈し、前記収納口は、円形、多角形、弓形又は多弧状を呈し、前記結び目位置拘束部は、一体成形集中構造、トップカバー構造又はドロップシール構造に形成されることを特徴とする前記（５）に記載の組立紐止め構造。
【考案の効果】
【００１２】
本考案の高強度の組立紐止め構造は、以下（１）〜（４）の長所を有する。
【００１３】
（１）紐止め構造の紐体両端を結んで互いに接続し、紐体の接続部が受ける引っ張り力が大きい場合でも切れ難く、紐体の両端が結ばれて形成された紐結びが紐通し孔に収納されるため、露出されず外観が良い。
【００１４】
（２）紐止め構造の紐体には上部ループ及び下部ループがそれぞれ形成されているため、速やかに引っ張って調整することができ、使用し易い。
【００１５】
（３）紐止め構造の係合ケースは、ケース体とトップカバーとが係合されて形成されているため、構造が簡素で、型開きの難易度が低く、生産の難易度が低くて製造コストが少ない。
【００１６】
（４）紐止め構造の収納口には、揺動可能なトップカバーが設けられ、紐通し孔に収納された紐結びを阻み、紐結びが紐通し孔から不用意に滑り出ることを防ぎ、通し紐の回転角度を自由にし、紐の回転応力を受けてトップカバーが外れてしまうことを防ぎ、紐止め構造の安定性を高めることができる。
【図面の簡単な説明】
【００１７】
【図１】本考案の第１実施形態に係る高強度の組立紐止め構造を示す説明図である。
【図２】本考案の第１実施形態に係る高強度の組立紐止め構造の係合ケース及びトップカバーを示す分解斜視図である。
【図３】本考案の第１実施形態に係る高強度の組立紐止め構造の一つのロープ通し孔を有する係合ケースを示す構造図である。
【図４】本考案の第１実施形態に係る高強度の組立紐止め構造の２つのロープ通し孔を有する係合ケースを示す構造図である。
【図５】本考案の第２実施形態に係る高強度の紐止め構造を示す断面図である。
【図６】本考案の第３実施形態に係る高強度の紐止め構造を示す断面図である。
【考案を実施するための形態】
【００１８】
以下、図面により、本考案を具体的に説明する。もっとも、本考案は、かかる図面により限定されるものではない。
【００１９】
図１〜図３を参照する。図１〜図３に示すように、本考案の一実施形態に係る高強度の組立紐止め構造は、少なくとも通し紐３及び係合ケース１から構成されてなる。通し紐３の両端には、紐結び３３が形成される。係合ケース１の内部には、収納チャンバ１０が形成される。収納チャンバ１０の底部又は側部には、紐通し孔１３が形成されている。紐通し孔１３は内外に貫通される。係合ケース１の頂部には、収納口１１が形成される。収納口１１には、結び目位置拘束部が設けられる。紐結び３３は、収納チャンバ１０内に嵌入される。紐結び３３と結び目位置拘束部の内側が位置拘束され、紐結び３３をストッパーとして用いる。通し紐３の上部を収納口１１に挿通させ、係合ケース１の結び目位置拘束部の上方まで延び、上部ループ３１が形成される。通し紐３の下部は紐通し孔１３に挿通されて係合ケース１の外部へ延び、下部ループ３２が形成される。係合ケースをストッパーとして用い、通し紐３の上部には、支持物を引っ掛ける上部ループ３１が形成される。通し紐３の下部には、装飾物を吊り下げる下部ループ３２が形成される。この紐止め構造が受ける引張力全ては、縛って形成されたループにより受け、係合ケース構造は、引張力を受けない上、強度が高くて外観が良いという長所を有する。また、係合ケース構造の構造が簡素で、係合ケース構造の２つの組み合わせ部分は、主に内部が中空状の係合ケース体で構成され、係合ケース体が一体成形され、型開きの難易度が低く、製作コストが低い。本実施形態の通し紐３は交換可能な部材からなり、使用者は必要に応じて異なる太さ、異なる長さの紐を通し紐３として使用することができるため、実用的である。
【００２０】
好適には、紐通し孔１３の数は２つでもよい。図４に示すように、紐止め構造の係合ケース１の底部には、２つの紐通し孔１３が形成される。２つの紐通し孔１３は間隔をおいて形成され、紐通し孔１３は、係合ケース１の底部に上下貫通される。通し紐３下部の両側の通し紐３は、２つの紐通し孔１３にそれぞれ挿通される。このような構造の長所としては、紐通し孔１３の孔径が小さめであり、通し紐３と紐通し孔１３との間の間隔が小さい上に見た目が良く、実際の応用では、通し紐３と係合ケース１との間に発生する揺動幅が小さめであるため、係合ケース１内の両側の通し紐３が絡まってしまうことを防ぐことができる。係合ケース１は、円柱形であるが、錐台、バレル型その他の多角形柱状又は他の変形体でもよい。
【００２１】
具体的には、結び目位置拘束部は、一体成形集中構造又はドロップシール構造でもよく、好適な方式では、結び目位置拘束部がトップカバー構造に成形され、トップカバー構造は、形状・サイズが収納口１１に対応したトップカバー２を有してもよい。トップカバー２を収納口１１に嵌着させる。トップカバー２と収納口１１とをバヨネット接続又はねじ接続し、トップカバー２の中央には蓋孔２１が形成される。蓋孔２１は上下貫通される。通し紐３の上部は、蓋孔２１に挿通されるとともに、トップカバー２の上方に至るまで延びる。このようなトップカバー構造は、型開の難易度が低い長所があり、メーカーの金型コストを減らし、製作される紐止め構造の挿設が容易であり、構造の安定性が高い上、収納口１１の上表面が滑らかであり、外観が良い（ここで述べるトップカバー２及び紐通し孔１３の実際の応用では、上下の位置を交換してもよい。即ち、収納口１１及び紐通し孔１３は、係合ケースの２つの対応した端部に位置すると理解してもよい。）。
【００２２】
収納口１１の内側壁には、位置規制凹溝１２が凹設される。トップカバー２の側壁には、位置規制凸肩２２が突設される。トップカバー２の側壁と収納口１１の内側壁とを組み合わせ、位置規制凸肩２２は位置規制凹溝１２に嵌入される。トップカバー２の頂面と収納口１１の開口面とを同じ高さで揃える。トップカバー２と収納口１１の開口面とが同じ高さで揃うため、係合ケースは整えられて外観が優れたものとなる。
【００２３】
トップカバー２の横断面は円形を呈する。トップカバー２及び収納口１１は、形状及びサイズが合致する。トップカバー２は、収納口１１内に嵌入される。
【００２４】
収納口１１は、正円を呈し、位置規制凸肩２２を円周方向に沿って閉止する。トップカバー２は円柱体に形成される。トップカバー２の直径は、収納口１１の直径より小さい。位置規制凹溝１２は円周方向に沿って閉止される。位置規制凸肩２２と位置規制凹溝１２とは位置拘束されて組み合わされる。
【００２５】
位置規制凸肩２２の横断面は半円形を呈し、位置規制凹溝１２の横断面は半円形を呈する。位置規制凸肩２２の凸肩高さは、位置規制凹溝１２の溝口深さより小さい。位置規制凸肩２２の凸肩幅は、位置規制凹溝１２の溝口の幅より小さい。
【００２６】
収納口１１は円形状である。この紐止め構造にはリング４が設けられる。上部ループ３１は、リング４に引っ掛けられているが、勿論、スライダー、携帯ケースなど携帯可能な飾り物でもよく、リング４のみに限定されるわけではなく、応用範囲が広い。例えば、携帯電話の引掛け孔に引っ掛け、携帯電話のストラップとして用いてもよい。
【００２７】
紐止め構造の具体的な挿通方法は、以下（１）〜（６）を含む。
【００２８】
（１）通し紐３は、順次、係合ケース１の全ての紐通し孔１３に挿通させて下部ループ３２を形成する。
【００２９】
（２）通し紐３の両端を縛って、紐結び３３をそれぞれ形成する。
【００３０】
（３）通し紐３の上部ループを下方から上方へかけてトップカバー２の蓋孔２１に挿通させ、トップカバー２の頂面から延びて上部ループ３１を形成する。
【００３１】
（４）収納口１１を介して紐結び３３を係合ケース１の収納チャンバ１０に挿入させる。
【００３２】
（５）トップカバー２を収納口１１に位置合わせして収納口１１内に嵌入し、位置規制凹溝１２に位置規制凸肩２２を嵌入させる。
【００３３】
（６）紐結び３３に対応した一側の通し紐３を引っ張って上部ループ３１及び下部ループ３２のサイズを調整し、紐止め構造の挿通を完了する。
【００３４】
本実施形態のトップカバー２は栓状のトップカバー体に成形し、図５に示すように、トップカバー体が収納口１１に完全に陥入されてもよい。トップカバー体の頂面は、収納口１１の開口面の高さと揃い、本実施形態のトップカバー２はキャップ状のトップカバー体であり、トップカバー２の頂部は、突出された蓋頂部２３が横向きに形成される。蓋頂部２３の中央位置には、蓋孔２１が形成される。蓋孔２１は上下貫通される。トップカバー体の本体は、収納口１１に挿入される。トップカバー２の頂面は、収納口１１の開口面に密着される。
【００３５】
好適な実施形態では、図６に示すように、結び目位置拘束部が係合接続されてトップカバー構造に設けられる。トップカバー体は、収納口１１に完全に陥入される。トップカバー体の頂面は、収納口１１の開口面の高さと揃う。本実施形態において、結び目位置拘束部は、係合ケースと一体成形された位置拘束部材構造であり、収納口１１が中心に向かって絞られて形成された結び目により凸肩を位置拘束し、上部紐孔１４を囲んで成形する。上部ループ３１は、上部紐孔１４から突出される。このような一体成形された結び目構造の具体的な挿通方法は、通し紐３の両端が縛られた後、上部ループ３１又は下部ループ３２を選択し、紐通し孔１３及び上紐孔１４に挿通させてから、ループの延びた部分に力を入れて引っ張り、収納チャンバ１０に紐結び３３を係入して挿設する。
【符号の説明】
【００３６】
１  係合ケース
２  トップカバー
３  通し紐
４  リング
１０  収納チャンバ
１１  収納口
１２  位置規制凹溝
１３  紐通し孔
１４  上部紐孔
２１  蓋孔
２２  位置規制凸肩
２３  蓋頂部
３１  上部ループ
３２  下部ループ
３３  紐結び
【図１】
0003226741.tif 000003
【図２】
0003226741.tif 000004
【図３】
0003226741.tif 000005
【図４】
0003226741.tif 000006
【図５】
0003226741.tif 000007
【図６】
0003226741.tif 000008